(57)【要約】      （修正有）【課題】理美容室、及びペットサロン等の、美創出施術業界において、各顧客に対しパーソナルフォトカードを来店都度に贈呈するというサービスを提供する。【解決手段】美創出施術業界の各店舗内で、顧客Ｍ来店都度における施術前後の写真を撮影したデジタルカメラＡからインターネットに接続させたノートパソコンＢへの転送・データ保存により顧客Ｍの施術履歴が残され、以降いつ来店しても顧客Ｍと施術者の間に記録データ写真に基づいた確実な対話が図られる。更に顧客Ｍにとっては退店時にプリンターＣより出力させた自分自身のフォトカードを贈呈される事で各店舗への愛着が深まる。【選択図】図１
0003132239.tif 000002
【実用新案登録請求の範囲】
【請求項１】
理・美容室、及びトリミングペットサロン等の“美創出施術業界”の店舗内へ配置されたノート型パーソナルコンピューター（Ｂ）内に、デジタルカメラ（Ａ）で撮影した写真を記録保存し、データ通信ネットワークと、１枚のソフトウエア（Ｄ）を介し、来店顧客の施術前後の写真を画面へ同時に映像として形成表示をすると共に、全ての人に即時処理できる簡易な操作で１枚のパーソナルフォトカード（Ｅ）を、プリンター（Ｃ）から作製することを備えた、パーソナル顧客管理フォトカードサービスシステム。
【請求項２】
前記、撮影映像の即時画面表示、及びパーソナルフォトカード（Ｅ）作製の可能なソフトウエア（Ｄ）を導入する加盟店舗は、理美容室・トリミングペットサロン等の、施術によって変化をもたらす“美創出施術業界店舗”から選定されるものである。
【考案の詳細な説明】
【考案の詳細な説明】
現在においては、デスクトップ及びノート型パーソナルコンピューター（Ｂ）の画面上において、「ビフォア・アフター」という俗語を使用し、例えば「かつら」等の商品を購入した場合、装着前と装着後の２枚の映像表示を店舗内で披露し、購買心理を印象付けるというシステムが存在している。しかし、理・美容業界等において、施術前の写真・施術後の正面・側面・背面という３ショットをデジタルカメラ（Ａ）を導入し、コンピューター（Ｂ）への入力により、即時に顧客とスタイリスト（施術者）が業務結果を視認できる画像処理と、オリジナルパーソナルフォトカード（Ｅ）を作製した上、退店時の贈呈サービスとする開発及び提供は成されていない。こうした一連の簡易な入力・出力操作による有用な顧客サービスを可能にした一枚のソフトウエア（Ｄ）を提供し、加盟店舗の顧客開拓、更には誘致促進を図る事ができるならば、美容産業界にとって進歩的且つ有機的な展開が著しく期待される。
【考案を実施する為の最良の形態】
【実施例】渋谷で運営されている「ヤング女性層」あるいは「エグゼクティブ女性層」の顧客が来店する。店舗サイドは、来店直後の顧客のヘアスタイル（Ｍ）をデジタルカメラ（Ａ）で撮影し、受付台に配置されているノート型パーソナルコンピューター（Ｂ）に記録保存する。ノート型パーソナルコンピューター（Ａ）には、１枚のソフトウエア（Ｄ）が具備されており、入力される各々の顧客の氏名・顧客番号（その他含む）・ヘアスタイル写真（Ｍ）が履歴として保存されている。新たに当日組み込まれた顧客の施術前の写真が、スタイリスト（施術者）に、あるいは受付担当者によって追加ファイルされた。
デジタルカメラ（Ａ）による来店時の施術前ヘアスタイル提供を終えた顧客は、施術席に案内される。
スタイリストは、店内に準備されている移動可能なノート型パーソナルコンピューター（Ｂ）を施術席脇に準備し、画面上にて履歴として残された前回のヘアスタイルの４ショット（施術前（Ｍ１）＋施術後（Ｍ２／Ｍ３／Ｍ４の３ショット）を顧客と視認し、当日要望を受けたヘアスタイル形成について対話を行なう。
前回来店のない新規の顧客の場合は、当店のパーソナルフォトカードサービスシステム贈呈があることについて、サンプル（見本）カードを提示することによって理解して貰い、カード希望の有・無について意思確認を行なった上、希望されればそこで施術前の写真を撮影させて貰っておく。新規顧客であれ既存顧客であれ、いよいよ施術が終了した際に、正面・側面・背面の３ショットを、やはりデジタルカメラ（Ａ）で撮影させて頂き、やはりコンピューター（Ｂ）に転送保存する。配備されたソフトウエア（Ｄ）の作動により、４枚の顧客映像が即時に処理され、付帯配備されたプリンター（Ｃ）から、名刺サイズ程（大きさの設定は自由）のパーソナルフォトカード（Ｅ）が作製される。
そのカード（Ｅ）には、片面に店舗名（ロゴ等も含む）と顧客の氏名及び来店年月日が、対面サイドには施術前後の顧客の４ショットが印刷されている。
スタイリスト（施術者）あるいは、受付担当者から、顧客は来店への御礼の言葉と共に一枚の来店記念施術カードを“パーソン・トゥ・パーソンサービス”の一環として受取り帰宅する。想い出の一枚を手にした満足感を抱いて当カード（Ｅ）を受け取った顧客は、改めて、以降変身を思い立った時、リピーターとして店舗に戻ってくる可能性は多大であり、又、そのカード（Ｅ）とサービスの内容を見聞きした顧客の周囲の人の中には自身の変身フォトショットを求め、新規顧客として来店に至るものである。これは、“噂”という“口コミ効果”がもたらす着実な来店促進ツールになると明言できよう。
当パーソナルフォトカードシステムのファン層は、家族同様に扱われる犬や猫といった愛玩動物のトリミング（オシャレに変身させるケアサポート施術）を行なう為にペットサロンを訪れる層をも取り込んで好展開をして行くと考察される。
【図１】
0003132239.tif 000003
【図２】
0003132239.tif 000004
【図３】
0003132239.tif 000005
【図４】
0003132239.tif 000006
【手続補正書】
【提出日】平成19年3月28日(2007.3.28)
【手続補正１】
【補正対象書類名】実用新案登録請求の範囲
【補正対象項目名】全文
【補正方法】変更
【補正の内容】
【実用新案登録請求の範囲】
【請求項１】
理・美容室、及びトリミングペットサロン等の施術業界の店舗において顧客に贈呈されるパーソナルフォトカードであって、
当該カードの１面に、当該顧客についての当該店舗における施術前の写真と施術後の写真が並んで印刷されていること、
を特徴とするパーソナルフォトカード。
【請求項２】
前記施術後の写真は、正面、側面および背面の３ショットの写真であること、
を特徴とする請求項１記載のパーソナルフォトカード。
【手続補正２】
【補正対象書類名】明細書
【補正対象項目名】全文
【補正方法】変更
【補正の内容】
【考案の詳細な説明】
【考案の詳細な説明】
【０００１】
現在においては、デスクトップ及びノート型パーソナルコンピューター（B）の画面上において、「ビフォア・アフター」という俗語を使用し、例えば「かつら」等の商品を購入した場合、装着前と装着後の2枚の映像表示を店舗内で披露し、購買心理を印象付けるというシステムが存在している。しかし、理・美容業界等において、施術前の写真・施術後の正面・側面・背面という３ショットをデジタルカメラ（A）を導入し、コンピューター（B）への入力により、即時に顧客とスタイリスト（施術者）が業務結果を視認できる画像処理と、オリジナルパーソナルフォトカード（E）を作製した上、退店時の贈呈サービスとする開発及び提供は成されていない。こうした一連の簡易な入力・出力操作による有用な顧客サービスを可能にした一枚のソフトウエア（D）を提供し、加盟店舗の顧客開拓、更には誘致促進を図る事ができるならば、美容産業界にとって進歩的且つ有機的な展開が著しく期待される。
【考案を実施する為の最良の形態】
【０００２】
【実施例】
【０００３】
渋谷で運営されている「ヤング女性層」あるいは「エグゼクティブ女性層」の顧客が来店する。店舗サイドは、来店直後の顧客のヘアスタイル（M）をデジタルカメラ（A）で撮影し、受付台に配置されているノート型パーソナルコンピューター（B）に記録保存する。ノート型パーソナルコンピューター（A）には、1枚のソフトウエア（D）が具備されており、入力される各々の顧客の氏名・顧客番号（その他含む）・ヘアスタイル写真（M）が履歴として保存されている。新たに当日組み込まれた顧客の施術前の写真が、スタイリスト（施術者）に、あるいは受付担当者によって追加ファイルされた。
【０００４】
デジタルカメラ（A）による来店時の施術前ヘアスタイル提供を終えた顧客は、施術席に案内される。
【０００５】
スタイリストは、店内に準備されている移動可能なノート型パーソナルコンピューター（B）を施術席脇に準備し、画面上にて履歴として残された前回のヘアスタイルの４ショット（施術前（M１）＋施術後（M2/M3/M4の3ショット））を顧客と視認し、当日要望を受けたヘアスタイル形成について対話を行なう。
【０００６】
前回来店のない新規の顧客の場合は、当店のパーソナルフォトカードサービスシステム贈呈があることについて、サンプル（見本）カードを提示することによって理解して貰い、カード希望の有・無について意思確認を行なった上、希望されればそこで施術前の写真を撮影させて貰っておく。新規顧客であれ既存顧客であれ、いよいよ施術が終了した際に、正面・側面・背面の3ショットを、やはりデジタルカメラ（A）で撮影させて頂き、やはりコンピューター（B）に転送保存する。配備されたソフトウエア（D）の作動により、4枚の顧客映像が即時に処理され、付帯配備されたプリンター（C）から、名刺サイズ程（大きさの設定は自由）のパーソナルフォトカード（E）が作製される。
【０００７】
そのカード（E）には、片面に店舗名（ロゴ等も含む）と顧客の氏名及び来店年月日が、対面サイドには施術前後の顧客の4ショットが印刷されている。
【０００８】
スタイリスト（施術者）あるいは、受付担当者から、顧客は来店への御礼の言葉と共に一枚の来店記念施術カードを”パーソン・トゥ・パーソンサービス”の一環として受取り帰宅する。想い出の一枚を手にした満足感を抱いて当カード（E）を受け取った顧客は、改めて、以降変身を思い立った時、リピーターとして店舗に戻ってくる可能性は多大であり、又、そのカード（E）とサービスの内容を見聞きした顧客の周囲の人の中には自身の変身フォトショットを求め、新規顧客として来店に至るものである。これは、”噂”という”口コミ効果”がもたらす着実な来店促進ツールになると明言できよう。
【０００９】
当パーソナルフォトカードシステムのファン層は、家族同様に扱われる犬や猫といった愛玩動物のトリミング（オシャレに変身させるケアサポート施術）を行なう為にペットサロンを訪れる層をも取り込んで好展開をして行くと考察される。
【図面の簡単な説明】
【００１０】
【図１】実施例における施術前、施術後のヘアスタイル写真を示す図である。
【図２】実施例におけるパーソナルフォトカードの表面を示す図である。
【図３】実施例におけるパーソナルフォトカードの裏面を示す図である。
【図４】実施例におけるパーソナルフォトカードを示す斜視図である。
【符号の説明】
【００１１】
（Ｅ）  パーソナルフォトカード
（Ｍ）  ヘアスタイル写真
（Ｍ１）  施術前の写真
（Ｍ２）〜（Ｍ４）  施術後の写真